(57)【要約】
【課題】使用者の必要に応じて肘掛け部の高さを滑らかに調整することができる上、ピストンロッドに付着する潤滑油で汚れることがなく、衣服や手などが挟まることもない高さ調整機能付き肘掛け装置を提供する。
【解決手段】椅子の座席の左右いずれかの側部構造体から上方に延びるように立設され、肘掛け部の高さ調整が可能となった肘掛け装置であって、側部構造体から上方に延びるように立設され、上方に向けて延伸可能で肘掛け部の高さを調整するための圧力シリンダと、圧力シリンダを収容するために筒状に形成された上メンバ及び下メンバから成る入れ子式構造となっており、下メンバは側部構造体から上方に延びるように立設され、上メンバは肘掛け部から下方に延びるように垂設され、圧力シリンダの伸縮に伴って伸縮し、且つ、上メンバ及び下メンバは常に重なり合うように構成された肘掛けメンバと、を備えたものである。
【選択図】図２
0003101420.tif 000002
【実用新案登録請求の範囲】
【請求項１】
椅子の座席の左右いずれかの側部構造体から上方に延びるように立設され、肘掛け部の高さ調整が可能となった肘掛け装置であって、
前記側部構造体から上方に延びるように立設され、上方に向けて延伸可能で前記肘掛け部の高さを調整するための圧力シリンダと、
前記圧力シリンダを収容するために筒状に形成された上メンバ及び下メンバから成る入れ子式構造となっており、前記下メンバは前記側部構造体から上方に延びるように立設され、前記上メンバは前記肘掛け部から下方に延びるように垂設され、前記圧力シリンダの伸縮に伴って伸縮し、且つ、前記上メンバ及び下メンバは常に重なり合うように構成された肘掛けメンバと、を備えたことを特徴とする高さ調整機能付き肘掛け装置。
【請求項２】
前記圧力シリンダは、前記側部構造体から上方に延びるように立設され、且つ、上端にピストンを取り付けられたピストンロッドと、前記ピストンによって内部が上室と下室とに仕切られるシリンダ体と、前記上下両室を繋ぐガス通路と、該ガス通路を開閉する圧力解放手段とを備え、前記ピストンの圧縮力によって高圧化した前記下室内のガスが、前記圧力解放手段によって解放されて前記上室内に流入して前記シリンダ体を押し上げることによって延伸するように構成され、
前記肘掛け部は前記圧力シリンダの延伸によって上昇し、
前記ガス通路を開いた状態で、延伸した前記圧力シリンダを圧縮して前記肘掛け部を降下させると、前記上室内のガスは、前記ガス通路を通って前記下室内に流入し、前記ピストンの圧縮力によって前記下室内で高圧化するように構成したことを特徴とする請求項１に記載の高さ調整機能付き肘掛け装置。
【請求項３】
前記上メンバ内の上端部に、前記圧力解放手段を構成する操作手段を収容する操作室が形成され、該上メンバの上端部以外は前記シリンダ体に外嵌することにより、前記上メンバは前記シリンダ体により支持されることを特徴とする請求項２に記載の高さ調整機能付き肘掛け装置。
【請求項４】
前記肘掛け部を前記上メンバの上端部に脱着可能に設置し、
前記ガス通路と連通する中心孔を有する端板を前記シリンダ体内に設置し、
前記上メンバの前記操作室の内周壁から取付ブロックを突設し、
前記取付ブロックのほぼ中心部に前記端板の中心孔と連通する通孔を設け、
前記上メンバの前記操作室の周壁部に縦長の開口を設け、
前記圧力解放手段は、
前記端板の中心孔及び前記取付ブロックの前記通孔に挿通され、且つ、上端に形成された操作体が前記操作室内に突出するように配設された、前記中央孔を開閉するための常閉バルブと、
前記操作室内に揺動可能に軸支され、且つ、一端が前記常閉バルブの操作体と対向して配設されると共に他端が前記開口内に延びているレバーと、
一端が前記開口内に位置して前記レバー他端によって上から押さえられると共に他端は前記開口の外に延び、且つ、操作ノブが取り付けられた操作手段と、を備え、
前記操作ノブを上方に移動させて前記レバー他端を押し上げることにより、前記レバーの一端が下方へ移動して前記常閉バルブの前記操作体を押して前記端板の中心孔を開けて前記下室内の高圧ガスを前記上室に開放するように構成したことを特徴とする請求項３に記載の高さ調整機能付き肘掛け装置。
【考案の詳細な説明】
【技術分野】
【０００１】
本考案は、その肘掛け部が滑らかに昇降する高さ調整機能付き肘掛け装置に関する。
【背景技術】
【０００２】
この種の高さ調整機能付き肘掛け装置としては、椅子の座席の側部に上方に延びるように立設された下メンバと、肘掛け部を下から支え、その下端が前記下メンバに脱着可能に取り付けられた上メンバを備えた複数段階調整型のものが提案されているが、滑らかに調整することができず、無段階調整も不可能であった。
【０００３】
これに対し、油圧シリンダによって滑らかに無段階で高さ調整できるものが提案されている（例えば、特許文献１参照。）。かかる従来の高さ調整機能付き肘掛け装置は、主として、肘掛けメンバと前記油圧シリンダとからなっている。該肘掛けメンバは、上メンバと椅子の座席の側部に固定されて前記油圧シリンダを介して前記上メンバを支えている下メンバとからなっている。また、前記油圧シリンダは、前記下メンバ内に上下向きに埋設されているシリンダ体と、該シリンダ体に装着され、且つ、前記下メンバ内から摺動可能に突出して前記上メンバを上下動可能に支持しているピストンロッドとからなっている。
【０００４】
この従来の高さ調整機能付き肘掛け装置の構造によると、肘掛け部が設けられた前記上メンバの昇降時に前記ピストンロッドが外部に露出するので、該ピストンロッドに付着する潤滑油によって使用者の手などが汚れるという欠点があった。また、前記ピストンロッドが最低の位置にある場合を除き、前記上メンバと前記下メンバとの間に隙間が開いているため、高さ調整時に衣服を引っ掛けたり手を挟んだりする恐れがあった。
【特許文献１】米国特許第５，９０８，２２１号公報
【考案の開示】
【考案が解決しようとする課題】
【０００５】
上記に鑑みて、本考案の目的は、使用者の必要に応じて肘掛け部の高さを滑らかに調整することができる上、ピストンロッドに付着する潤滑油で汚れることがなく、衣服や手などが挟まることもない高さ調整機能付き肘掛け装置を提供しようとする。
【課題を解決するための手段】
【０００６】
前記目的を達成するために、本考案は、椅子の座席の左右いずれかの側部構造体から上方に延びるように立設され、肘掛け部の高さ調整が可能となった肘掛け装置となっており、前記側部構造体から上方に延びるように立設され、上方に向けて延伸可能で前記肘掛け部の高さを調整するための圧力シリンダと、前記圧力シリンダを収容するために筒状に形成された上メンバ及び下メンバから成る入れ子式構造を有し、前記下メンバは前記側部構造体から上方に延びるように立設され、前記上メンバは前記肘掛け部から下方に延びるように垂設され、前記圧力シリンダの伸縮に伴って伸縮し、且つ、前記上メンバ及び下メンバは常に重なり合うように構成された肘掛けメンバと、を備えたことを特徴とする。
【０００７】
また、前記圧力シリンダは、前記側部構造体から上方に延びるように立設され、且つ、上端にピストンを取り付けられたピストンロッドと、前記ピストンによって内部が上室と下室とに仕切られるシリンダ体と、前記上下両室を繋ぐガス通路と、該ガス通路を開閉する圧力解放手段とを備え、前記ピストンの圧縮力によって高圧化した前記下室内のガスが、前記圧力解放手段によって解放されて前記上室内に流入して前記シリンダ体を押し上げることによって延伸するように構成され、前記肘掛け部は前記圧力シリンダの延伸によって上昇し、前記ガス通路を開いた状態で、延伸した前記圧力シリンダを圧縮して前記肘掛け部を降下させると、前記上室内のガスは、前記ガス通路を通って前記下室内に流入し、前記ピストンの圧縮力によって前記下室内で高圧化するように構成するのが望ましい。
【０００８】
また、前記上メンバ内の上端部に、前記圧力解放手段を構成する操作手段を収容する操作室が形成され、該上メンバの上端部以外は前記シリンダ体に外嵌することにより、前記上メンバは前記シリンダ体により支持されるのが望ましい。
【０００９】
また、前記肘掛け部を前記上メンバの上端部に脱着可能に設置し、前記ガス通路と連通する中心孔を有する端板を前記シリンダ体内に設置し、前記上メンバの前記操作室の内周壁から取付ブロックを突設し、前記取付ブロックのほぼ中心部に前記端板の中心孔と連通する通孔を設け、前記上メンバの前記操作室の周壁部に縦長の開口を設け、前記圧力解放手段は、前記端板の中心孔及び前記取付ブロックの前記通孔に挿通され、且つ、上端に形成された操作体が前記操作室内に突出するように配設された、前記中央孔を開閉するための常閉バルブと、前記操作室内に揺動可能に軸支され、且つ、一端が前記常閉バルブの操作体と対向して配設されると共に他端が前記開口内に延びているレバーと、一端が前記開口内に位置して前記レバー他端によって上から押さえられると共に他端は前記開口の外に延び、且つ、操作ノブが取り付けられた操作手段と、を備え、前記操作ノブを上方に移動させて前記レバー他端を押し上げることにより、前記レバーの一端が下方へ移動して前記常閉バルブの前記操作体を押して前記端板の中心孔を開けて前記下室内の高圧ガスを前記上室に開放するように構成するのが望ましい。
【考案の効果】
【００１０】
この構造による高さ調整機能付き肘掛け装置によれば、前記側部構造体から上方に延びるように立設され、上方に向けて延伸可能で前記肘掛け部の高さを調整するための圧力シリンダと、上メンバ及び下メンバから成り、前記圧力シリンダを収容するために筒状に形成され、且つ、伸縮可能な入れ子式構造となっており、前記下メンバは前記側部構造体から立ち上がり、前記上メンバは前記肘掛け部から下方に延設されて前記下メンバと重なり、前記圧力シリンダの伸縮に応じて伸縮し、且つ、上メンバ及び下メンバは常に重なるように設定された肘掛けメンバと、を備えたので、前記肘掛け部の高さ調整時には、前記シリンダ体及び前記ピストンロッドが常に前記上メンバ及び下メンバ内に内蔵されることとなり、高さ調整時に潤滑油で汚れる不都合がなく、また、衣服や手や指が前記上メンバと前記下メンバとの間の隙間に挟まったり、上下メンバーで引っ掛けられるのを防止することができる。
【考案を実施するための最良の形態】
【００１１】
以下、本考案の好ましい実施形態を詳しく説明する。なお、以下の説明においては、そのサイズに拘わらず、略同一の機能及び構成を有する構成要素については、同一符号を付し、重複説明は必要な場合にのみ行う。
【００１２】
まず、図１、図２及び図５を参照しながら本考案の昇降可能な肘掛け装置の実施形態例を説明する。この昇降可能な肘掛け装置は、椅子の座席の左右いずれか（図示には右側）の側部構造体６に上方に延びるように立設され、圧力シリンダ３と、肘掛けメンバ４と、圧力解放手段５とを備えている。
【００１３】
圧力シリンダ３は、ピストン３３によって仕切られる高圧室（下記下室３１２参照）を有するほぼ円柱状で、側部構造体６から立ち上がるように下端が側部構造体６に固定され、該高圧室内の高圧がリリースされると上へ延長して該上端を上昇させる空気圧シリンダである。なお、油圧シリンダが使用されてもよい。図示のように、圧力シリンダ３は、シリンダ体３１と、該シリンダ体３１内に摺動可能に設けられて該シリンダ体３１を上下２室３１１，３１２に仕切るピストン３３と、ピストンロッド３２とを備え、ピストンロッド３２は、その上端にはピストン３３に固定され、その下端は側部構造体６を貫通して上下２つの固定部材３２１，３２１によって側部構造体６に固定されている。また、シリンダ体３１の上下２室３１１，３１２間はシリンダ体３１内に形成されたガス通路３１３によって連通している。
【００１４】
肘掛けメンバ４は、圧力シリンダ３を収容するために筒状に形成された上メンバ４１及び下メンバ４２から成る入れ子式構造である。下メンバ４２は側部構造体６から立設され、上メンバ４１は肘掛け部４３から下方に延びるように垂設され、且つ、上メンバ４１の上端部には肘掛け部４３が脱着可能に取り付けられている。そして、肘掛けメンバ４は、圧力シリンダの伸縮に伴って伸縮し、最大に伸張した状態であって上メンバ４１及び下メンバ４２は常に重なり合うように設定されている。
【００１５】
上メンバ４１には、操作室４１１の内周壁から突設される取付ブロック４１２が形成されている。更に詳しくは、上メンバ４１の内部空間のうち、取付ブロック４１２の上方は操作室４１１となり、取付ブロック４１２の下方の大部分はシリンダ体３１に外嵌することによって上メンバ４１はシリンダ体３１で支えられている。シリンダ体３１の上端には、ガス通路３１３と連通する中心孔３１４１を有する端板３１４が設置され、取付ブロック４１２のほぼ中心部には、端板３１４の中心孔３１４１と連通する通孔４１２１が穿設されている（図５に参照）。また、操作室４１１の周りにある上メンバ４１の周壁部には縦長の開口４１３が穿設されている。
次に、図３及び図５に基づいて圧力解放手段５を説明する。圧力解放手段５は、ガス通路３１３を開閉するものであって、常閉バルブ５１とレバー５２と操作手段５３とを備えている。
【００１６】
レバー５２は、その底板４１４１に穿孔４１４２が穿設されたＵ字形の取付金具４１４を介して操作室４１１内に揺動可能に軸支され、レバー５２の一端５２１は操作体５１１の上に位置し、レバー５２の他端５２２が開口４１３内にまで延設されている。
【００１７】
常閉バルブ５１は、縦長棒状に形成され、その下端には弁体５１Ａが、その上端には操作体５１１がそれぞれ設けられている。常閉バルブ５１は、端板３１４の中心孔３１４１と、取付ブロック４１２の通孔４１２１と、底板４１４１の穿孔４１４２とに挿通され、常閉バルブ５１の操作体５１１は通孔４１２１から操作室４１１内の取付金具４１４のＵ字形の両壁の間に突出している。
【００１８】
操作手段５３は、その一端５３１が開口４１３内に位置してレバー５２の他端５２２によって上から押さえ付けられ、操作手段５３の他端は開口４１３の外に延びており、該他端には操作ノブ５３２が取り付けられている。そして、操作ノブ５３２を上方に移動させると、レバー５２の他端５２２が開口４１３内の上方に移動すると共にレバー５２の一端５２１が下方へ移動して常閉バルブ５１の操作体５１１を押す。これによって端板３１４の中心孔３１４１が開いて下室３１２と上室３１１とがガス通路３１３によって連通する。
【００１９】
次に、椅子に設置された肘掛け装置の圧力シリンダ３による肘掛け部４３の昇降動作を図２、図４及び図５を参照しながら説明する。肘掛け装置の肘掛け部４３を上昇させるには、圧力シリンダ３の下室３１２内を高圧にしなければならない。そのためには、まずシリンダ体３１に設置されているベント穴（図示せず）が開いたままで、操作ノブ５３２を上方へ引き上げて常閉バルブ５１を開け、シリンダ体３１を肘掛け部４３が最高の位置に到達するまで上方に向けて引っ張った後に、プラグ（図示せず）で前記ベント穴を塞ぐ。そうすると、上室３１１の容積が最大になり、下室３１２の容積が最小になるが、上下両室３１１，３１２内の圧力がすべて大気圧に等しい。次に、前記椅子の肘掛け部４３を下方に押さえ付けてシリンダ体３１を下降させると、上室３１１内の空気がガス通路３１３とを経由して下室３１２内に流れ込むので、上室３１１が段々縮小し、下室３１２が段々拡大すると共に下室３１２の内圧が段々に上昇する。最後に、肘掛け部４３が最低位置に至ると、操作ノブ５３２を解放して常閉バルブ５１を閉じる。このとき、下室３１２は、内圧が最大になって高圧室になり、圧力シリンダ３の圧力設定が終了する。
【００２０】
このようなに肘掛け部４３が最低位置では、下室３１２は高圧室となり、上室３１１が低圧室となる。この状態で操作ノブ５３２を上方に移動させると、常閉バルブ５１によってガス通路３１３が開放されるので、下室３１２内の高圧空気が上室３１１へ流れ込んで該上室３１１を拡大しながらシリンダ体３１を上昇させる。また、操作ノブ５３２を解放する前は、この肘掛け装置を任意の高さで調整することが可能な状態にある。この状態では、肘掛け部４３はそのまま上昇する一方、肘掛け部４３を上から押さ付けてシリンダ体３１を下降させることより、該肘掛け部４３を使用者の必要な高さ位置に調整することができる。
【産業上の利用可能性】
【００２１】
前記実施形態から分かるように、本考案の肘掛け装置が椅子に取付けられた場合、圧力解放手段により高圧室が開放されると、高圧室内の高圧ガスがリリースされて肘掛け部が上昇し、その時、前記上昇に抗して前記肘掛け部が押さえられると前記肘掛け部を下降させることができるのみならず、圧力シリンダが、前記肘掛け部の昇降時もいつも中空状の肘掛けメンバ内に存在するので、高さ調整時に潤滑油に汚れたり、衣服ないし手か指が上メンバや下メンバとに引っ掛けられたり挟まれたりする不都合が発生しない。
【００２２】
以上説明した実施の形態は、あくまでも本考案の技術的内容を明らかにする意図のものにおいてなされたものであり、本考案はそうした具体例に限定して狭義に解釈されるものではなく、本考案の精神とクレームに述べられた範囲で、いろいろと変更して実施できるものである。
【図面の簡単な説明】
【００２３】
【図１】本考案の肘掛け装置の好ましい実施形態を示す分解斜視図
【図２】前記実施形態の断面構成図
【図３】図３における上メンバの拡大斜視図
【図４】前記実施形態の昇降に応じる構成関係を示す断面図
【図５】前記実施形態における圧力解放構造を示す拡大断面図
【符号の説明】
【００２４】
３      圧力シリンダ
３１    シリンダ体
３１１  上室
３１２  下室
３１３  ガス通路
３１４  端板
３１４１中心孔
３２    ピストンロッド
３２１  固定部材
３３    ピストン
４      肘掛けメンバ
４１    上メンバ
４１１  操作室
４１２  取付ブロック
４１２１通孔
４１３  開口
４１４  取付金具
４１４１底板
４１４２穿孔
４２    下メンバ
４３    肘掛け部
５      圧力解放手段
５１    常閉バルブ
５１１  操作体
５２    レバー
５２１  レバーの一端
５２２  レバーの他端
５３    操作手段
５３１  操作手段の一端
５３２  操作ノブ
６      側部構造体
【図１】
0003101420.tif 000003
【図２】
0003101420.tif 000004
【図３】
0003101420.tif 000005
【図４】
0003101420.tif 000006
【図５】
0003101420.tif 000007